【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
バッテリをチャージするために前記バッテリに並列に結合された異なる複数の集積回路（ＩＣｓ）上の２つ以上のバッテリチャージャと、各バッテリチャージャＩＣは、同一バッテリへの前記各バッテリチャージャＩＣにより発生された電流を示す電流信号を発生するように構成される、および
前記バッテリおよび前記２つ以上のバッテリチャージャに結合され、前記バッテリによりディスチャージされた電流および前記複数のバッテリチャージャからの複数の前記電流信号に応答してトータルバッテリ電流を決定するように構成されたフューエルゲージと、
を備え、
前記複数の電流信号は、各バッテリチャージャＩＣ上で発生された複数のデジタル信号であり、
前記フューエルゲージは、前記トータルチャージ電流を決定するために前記複数のデジタル信号を合計するように構成される、
フューエルゲージシステム。
【請求項２】
前記フューエルゲージは、前記複数のバッテリチャージャＩＣｓのうちの１つ上にあり、他のバッテリチャージャＩＣｓは、バスを介して前記複数のバッテリチャージャＩＣｓのうちの前記１つに前記複数のデジタル信号を通信する、請求項１のフューエルゲージシステム。
【請求項３】
前記フューエルゲージは、前記複数のバッテリチャージャから分離された１つの集積回路上にあり、前記複数のバッテリチャージャから前記複数の電流信号を受信するように構成される、請求項１のフューエルゲージシステム。
【請求項４】
１つのバッテリチャージャＩＣは、前記１つのＩＣ上の前記トータルチャージ電流を決定するために、前記１つのバッテリチャージャＩＣ上の電流検出回路の入力から前記他のバッテリチャージャＩＣからの前記バッテリチャージ電流を結合するように構成される、請求項１のフューエルゲージシステム。
【請求項５】
前記複数のバッテリチャージャの１つは電力管理集積回路（ＰＭＩＣ）ＩＣの一部であり、前記フューエルゲージは前記ＰＭＩＣの一部である、請求項１のフューエルゲージシステム。
【請求項６】
バッテリをチャージするために前記バッテリに並列に結合された異なる集積回路（ＩＣｓ）上の２つ以上のバッテリチャージャの各々から、同一バッテリへの各前記バッテリチャージャＩＣにより発生された電流を示す電流信号を受信することと、および
前記バッテリチャージャからの前記電流信号および前記バッテリからの電流に応答してトータルチャージ電流を決定することと、
を備え、
ここにおいて、前記電流信号は、各ＩＣ上で発生されたデジタル信号であり、ここにおいて、トータルチャージ電流を決定することは、前記トータルチャージ電流を決定するために前記デジタル信号を合計することを含む、
方法。
【請求項７】
トータルチャージ電流を決定することは、前記１つのＩＣ上の前記トータルチャージ電流を決定するために、１つのバッテリチャージャＩＣ上の電流検出回路の入力から他のバッテリチャージャＩＣｓからの前記バッテリチャージ電流を前記１つのバッテリチャージャＩＣにおいて結合することを備える、請求項６の方法。
【請求項８】
前記バッテリチャージャの１つは電力管理集積回路（ＰＭＩＣ）ＩＣの一部であり、前記トータルチャージ電流を決定する手段は、前記ＰＭＩＣの一部である、請求項６の方法。
【請求項９】
前記バッテリをチャージするために前記バッテリに異なる集積回路上の前記２つ以上のバッテリチャージャを並列に結合することをさらに備える、請求項６の方法。
【請求項１０】
前記各バッテリチャージャＩＣにより発生された電流を示す前記電流信号を前記２つ以上のバッテリチャージャの各々において発生させることをさらに備える、請求項６の方法。
【手続補正２】
【補正対象書類名】明細書
【補正対象項目名】０００４
【補正方法】変更
【補正の内容】
【０００４】
[0004]アプリケーションは、電力消費および熱損失を低減するために２つ以上の異なるバッテリチャージャ集積回路（ＩＣｓ）間でチャージ電流を分割するマルチパスバッテリチャージインプリメンテーションを使用する。このインプリメンテーションにおける１つの問題は、複数のパスによるフューエルゲージに関するトータルのチャージ(charge)およびディスチャージ(discharge)電流を正確に測定することである。
【手続補正３】
【補正対象書類名】明細書
【補正対象項目名】０００５
【補正方法】変更
【補正の内容】
【０００５】
[0005]本開示は複数のバッテリチャージャ間で電流情報を共有するバッテリフューエルゲージに関する技法を含む。一実施形態において、バッテリをチャージするためにバッテリに並列に結合された異なる集積回路(ICｓ)上に２つ以上のバッテリチャージャを備えるフューエルゲージシステムが記載される。各バッテリチャージャＩＣは同じバッテリ内へ各バッテリチャージャＩＣにより発生された電流を示す電流信号を発生する。フューエルゲージはバッテリによりディスチャージされる電流およびバッテリチャージャからの電流信号に応答してトータルチャージ電流を決定する。
【手続補正４】
【補正対象書類名】明細書
【補正対象項目名】００１４
【補正方法】変更
【補正の内容】
【００１４】
[0014]さらに他の実施形態において、バッテリをチャージするためにバッテリに並列に異なる集積回路（ＩＣｓ）上の２つ以上のバッテリチャージャを結合する手段と、ここで、各バッテリチャージャＩＣは同じバッテリへ各バッテリチャージャＩＣにより発生された電流を示す電流信号を発生する、およびバッテリチャージャからの電流信号に応答してトータルチャージ電流を決定する手段を備えたフューエルゲージシステムが開示される。
【手続補正５】
【補正対象書類名】明細書
【補正対象項目名】００１９
【補正方法】変更
【補正の内容】
【００１９】
[0019]一実施形態において、複数のバッテリチャージャの１つは電力管理集積回路（ＰＭＩＣ）ＩＣの一部であり、トータルチャージ電流を決定する手段はＰＭＩＣの一部である。
【手続補正６】
【補正対象書類名】明細書
【補正対象項目名】００２０
【補正方法】変更
【補正の内容】
【００２０】
[0020]一実施形態においてフューエルゲージシステムはさらに、２つ以上のバッテリチャージャの各々において、各バッテリチャージャＩＣにより発生された電流を示す電流信号を発生する手段を備える。
【手続補正７】
【補正対象書類名】明細書
【補正対象項目名】００２１
【補正方法】変更
【補正の内容】
【００２１】
[0021]さらに他の実施形態において、バッテリをチャージするためにバッテリに並列に結合された異なる複数の集積回路（ＩＣｓ）上の２つ以上のバッテリチャージャの各々から、同じバッテリへ各バッテリチャージャＩＣにより発生された電流を示す電流信号を受信することと、バッテリチャージャからの電流信号に応答してトータルチャージ電流を決定することを備えた方法が開示される。
【手続補正８】
【補正対象書類名】明細書
【補正対象項目名】００２５
【補正方法】変更
【補正の内容】
【００２５】
[0025]一実施形態において、バッテリチャージャの１つは電力管理集積回路（ＰＭＩＣ）ＩＣの一部である。トータルチャージ電流を決定する手段はＰＭＩＣの一部である。
[0026]一実施形態において、バッテリをチャージするために異なる集積回路上の２つ以上のバッテリチャージャをバッテリに並列に結合することをさらに備える。
【手続補正９】
【補正対象書類名】明細書
【補正対象項目名】００２６
【補正方法】変更
【補正の内容】
【００２６】
[0027]一実施形態において、２つ以上のバッテリチャージャの各々において、各バッテリチャージャＩＣにより発生された電流を示す電流信号を発生することをさらに備える。
【手続補正１０】
【補正対象書類名】明細書
【補正対象項目名】００３０
【補正方法】変更
【補正の内容】
【００３０】
[0036]バッテリをチャージするためにバッテリに並列に結合された２つ以上のバッテリチャージャを備えるバッテリチャージシステムのトータルバッテリ電流を決定するためのさまざまなフューエルゲージシステムが記載される。各バッテリチャージャはバッテリチャージャにより発生された電流を示す電流信号（すなわち、各チャージャからバッテリへ入力または出力される電流信号）を発生する。フューエルゲージはバッテリチャージャの各々から報告されたバッテリ電流に応答してトータルバッテリ電流を決定する。フューエルゲージは典型的に電力管理集積回路（ＰＭＩ）の一部である。バッテリチャージャは別個のＩＣｓ上にあり得る。ＩＣｓは、例えば、１つのＩＣ上に第１のバッテリチャージャとフューエルゲージを備え、第２のＩＣ上にバッテリチャージャを備えるＰＭＩＣを含むことができる。
【手続補正１１】
【補正対象書類名】明細書
【補正対象項目名】００５１
【補正方法】変更
【補正の内容】
【００５１】
[0057]５０２において、バッテリをチャージするためにバッテリに並列に結合された異なる集積回路（ＩＣｓ）上の２以上のバッテリチャージャに関して、同一バッテリへの前記各バッテリチャージャＩＣにより発生された電流を示す電流信号が受信される。５０４において、トータルバッテリ電流はバッテリチャージャからの電流信号に応答して決定される。
【手続補正１２】
【補正対象書類名】明細書
【補正対象項目名】００５６
【補正方法】変更
【補正の内容】
【００５６】
[0062]上述の説明は特定の実施形態がどのようにインプリメントされることができるかの例とともに本開示の種々の実施形態を図示する。上述の例は唯一の実施形態であるとみなされるべきではなく、以下のクレームにより定義される特定の実施形態の柔軟性と利点を示すために提供される。上述の開示および以下のクレームに基づいて、他の構成、実施形態、インプリメンテーションおよび均等物はクレームにより定義される本開示の範囲を逸脱することなく採用されることができる。
以下に本願の出願当初の特許請求の範囲に記載された発明を付記する。
［Ｃ１］  バッテリをチャージするためにバッテリに並列に結合された異なる複数の集積回路（ＩＣｓ）上の２つ以上のバッテリチャージャと、各バッテリチャージャＩＣは前記同一バッテリへの前記各バッテリチャージャにより発生された電流を示す電流信号を発生する、および
前記バッテリによりディスチャージされた電流および前記複数のバッテリチャージャからの前記複数の電流信号に応答してトータルバッテリ電流を決定するためのフューエルゲージと
を備えるフューエルゲージシステム。
［Ｃ２］  前記複数の電流信号は複数のアナログ電圧信号であり、前記フューエルゲージは前記トータルチャージ電流を決定するために前記複数のアナログ電圧信号を合計する、Ｃ１のフューエルゲージシステム。
［Ｃ３］  前記複数の電流信号は複数のアナログ電流信号であり、前記フューエルゲージは前記トータルチャージ電流を決定するために前記複数のアナログ電流信号を合計する、Ｃ１のフューエルゲージシステム。
［Ｃ４］  前記複数の電流信号は各バッテリチャージャＩＣ上で発生された複数のデジタル信号であり、前記フューエルゲージは前記トータルチャージ電流を決定するために前記複数のデジタル信号を合計する、Ｃ１のフューエルゲージシステム。
［Ｃ５］  前記フューエルゲージは前記複数のバッテリチャージャＩＣｓの１つ上にあり、前記他の複数のバッテリチャージャＩＣｓはバスを介して前記複数のバッテリチャージャＩＣｓの前記１つに前記デジタル信号を通信する、Ｃ４のフューエルゲージシステム。
［Ｃ６］  前記フューエルゲージは前記複数のバッテリチャージャから分離された１つの集積回路上にあり前記複数おｎバッテリチャージャから前記複数の電流信号を受信する、Ｃ１のフューエルゲージシステム。
［Ｃ７］  １つのバッテリチャージャＩＣは前記１つのＩＣ上の前記トータルチャージ電流を決定するために前記１つのバッテリチャージャＩＣ上の電流検出回路の入力から前記他の複数のバッテリチャージャＩＣからの前記バッテリチャージ電流を結合する、Ｃ１のフューエルゲージシステム。
［Ｃ８］  前記バッテリチャージャの１つは電力管理集積回路（ＰＭＩＣ）ＩＣの一部であり、前記フューエルゲージは前記ＰＭＩＣの一部である、Ｃ１のフューエルゲージシステム。
［Ｃ９］  バッテリをチャージするために前記バッテリに並列に異なる集積回路（ＩＣｓ）上の２つ以上のバッテリチャージャを結合する手段と、ここで各バッテリチャージャＩＣは同一バッテリへ各バッテリチャージャＩＣにより発生された電流を示す電流信号を発生する、  前記バッテリチャージャからの前記電流信号に応答してトータルチャージ電流およびディスチャージ電流を決定する手段と、
を備える、フューエルゲージシステム。
［Ｃ１０］  前記複数の電流信号は複数のアナログ電圧信号であり、前記トータルチャージ電流を決定する手段は前記トータルチャージ電流を決定するために前記複数のアナログ電圧信号を合計する手段を含む、Ｃ９のフューエルゲージシステム。
［Ｃ１１］  前記複数の電流信号は各ＩＣ上で発生された複数のデジタル信号であり、前記トータルチャージ電流を決定する手段は前記トータルチャージ電流を決定するために前記複数のデジタル信号を合計する手段を含む、Ｃ９のフューエルゲージシステム。
［Ｃ１２］  前記トータルチャージ電流を決定する手段は前記複数のバッテリチャージャＩＣｓの１つ上にあり、前記フューエルゲージシステムはさらに前記他の複数のバッテリチャージャＩＣｓから前記複数のバッテリチャージャＩＣｓの前記１つへ複数のデジタル信号を通信する手段をさらに備える、Ｃ１１のフューエルゲージシステム。
［Ｃ１３］  前記トータルチャージ電流を決定する手段は、前記１つのＩＣ上の前記トータルチャージ電流を決定するために前記１つのバッテリチャージャＩＣ上の電流検出回路の入力から前記他の複数のバッテリチャージャＩＣｓからのバッテリチャージ電流を前記１つのバッテリチャージャＩＣにおいて結合する手段を備える、Ｃ９のフューエルゲージシステム。
［Ｃ１４］  バッテリをチャージするために前記バッテリに並列に結合された異なる集積回路（ＩＣｓ）上の２つ以上のバッテリチャージャの各々から、前記同一バッテリへ各前記バッテリチャージャＩＣにより発生された電流を示す電流信号を受信することと、および
前記バッテリチャージャからの前記電流信号に応答してトータルチャージ電流を決定することと、
を備える方法。
［Ｃ１５］  前記複数の電流信号は複数のアナログ電圧信号であり、トータルチャージ電流を決定することは前記トータルチャージ電流を決定するために前記複数のアナログ電圧信号を合計することを含む、Ｃ１４の方法。
［Ｃ１６］  前記複数の電流信号は各ＩＣ上で発生された複数のデジタル信号であり、トータルチャージ電流を決定することは、前記トータルチャージ電流を決定するために前記複数のデジタル信号を合計することを含む、Ｃ１４の方法。
［Ｃ１７］  トータルチャージ電流を決定することは、前記１つのＩＣ上の前記トータルチャージ電流を決定するために１つのバッテリチャージャＩＣ上の電流検出回路の入力から前記他の複数のバッテリチャージャＩＣｓからの前記バッテリチャージ電流を前記１つのバッテリチャージャＩＣにおいて結合することを備える、Ｃ１４の方法。
［Ｃ１８］  前記バッテリチャージャの１つは電力管理集積回路（ＰＭＩＣ）ＩＣの一部であり、前記トータルチャージ電流を決定する手段は前記ＰＭＩＣの一部である、Ｃ１４の方法。
［Ｃ１９］  前記バッテリをチャージするために前記バッテリに異なる集積回路上の前記２以上のバッテリチャージャを並列に結合することをさらに備える、Ｃ１４の方法。
［Ｃ２０］  前記各バッテリチャージャＩＣにより発生された電流を示す前記電流信号を前記２以上のバッテリチャージャの各々において発生することをさらに備える、Ｃ１４の方法